(57)【要約】【課題】  お客への案内板として、またお出迎えとお見送りのサインとして、また酒気帯びや酒酔い運転を防止する警告と案内を自動で行うことを目的とする。【解決手段】  筺体に案内電光表示板と呼気中アルコール濃度検出センサーとアルコール濃度電光表示板、焦電センサー又は赤外線センサーを二個使用する移動方向検出装置、音声ＲＯＭを使用する音声発生装置及びこれらの装置を処理する中央処理装置を設置した。【選択図】図１
0003129750.tif 000002
【実用新案登録請求の範囲】
【請求項１】
筺体に案内電光表示板と呼気中アルコール濃度検出センサーとアルコール濃度電光表示板、焦電センサー又は赤外線センサーを二個使用する移動方向検出装置、音声ＲＯＭを使用する音声発生装置及びこれらの装置を処理する中央処理装置を設置したことを特徴とする自動警告装置。
【請求項２】
既存電飾立て看板の上面に取付板を介して固定することを特徴とする請求項１記載の自動警告装置。
【請求項３】
玄関ドア付近の壁面に設置するブラケット又はヒンジ付きブラケットを介して固定することを特徴とする請求項１記載の自動警告装置。
【請求項４】
玄関ドア付近の壁面に設置するヒンジ付きブラケット又はヒンジ付き伸縮ブラケットの一端を自動警告装置の側面の中央ではなく端に寄せて取り付け、ブラケットの他端を玄関ドア付近の壁面に設置することを特徴とする請求項１記載の自動警告装置。
【考案の詳細な説明】
【技術分野】
【０００１】  本考案は歓楽街や酒場に設置して使用する自動警告装置に関する。
【考案の開示】
【考案が解決しようとする課題】
【０００２】  お客への案内板として、またお出迎えとお見送りのサインとして、また酒気帯びや酒酔い運転を防止する警告と案内を自動で行う自動警告装置に関する。
【課題を解決するための手段】
【０００３】  酒気帯び運転の基準は呼気中アルコール濃度が０．１５ｍｇ／Ｌに改正された。飲酒者は酔っているか酔っていないかを自制の効かない状態で自分勝手に判断し、酔っていないからと安易に自動車を運転し、痛ましい事故や事件が数多く発生している。【０００４】  そこで、酒場に入る者か出る者かを二個のセンサーの感知タイミングの違いで自動判別し、入る者にはいらっしゃいませ等のお出迎えの電光表示を提供し、出る者にはありがとうございました等のお見送りの電光表示と飲酒運転厳禁等の警告電光表示の交互点灯（又は飲酒運転厳禁等の警告電光表示だけの点滅表示）を提供し、更に、センサーへの息の吹きかけを受けて呼気中アルコール濃度を自動的に検出しその結果を電光表示板に表示させる。電光表示板は複数設けて代行運転サービスの案内等案内情報を充実させる。スピーカーを装備させて以上説明した各状況下にふさわしい音声をアナウンスさせる。
電光表示板を複数設けて案内情報を充実させても良いし、最低１つの電光表示板で本発明の要諦をこなせるように装置の工夫やアレンジを行うことも含む意味である。
又、電光表示の内容を限定したり特定することは容易に類推出来る事項である。既述又は以下に表示例を記載するが、あくまでも一実施例であって、本考案において表示内容を限定したり特定するものではない。【０００５】  ウォークスルーで息を吹きかけ易い高さに自動警告装置を配置するために、酒場の玄関ドア脇に置かれている電光立て看板の上に固定したり、玄関ドア横の壁面に直付けしたり、更には別の態様としてはブラケットを設置して自動警告装置を支えたり、更に別の態様としてしはぶら下げたりする配置が考えられる。
直付けに限らず、ブラケットで自動警告装置を支える場合には、向き調節を目的としてブラケットにヒンジを設けたり、出の調節を目的として伸縮可能なブラケットとしたり、壁面に向けて畳み込めたり、壁面から最大限に突き出させたりできるように物品を構成しても良い。
【考案の効果】
【０００６】  入出店の際に感じの良い案内や挨拶を自動的に受けることが出来る。ウォークスルー感覚で呼気中アルコール濃度を計測でき自分勝手な自己判断から目覚めることができる。同時に飲酒運転回避に向けたお得なサービス情報を得られる。機械による警告であるので、店員が直接警告することの心理的負担が無くなり、又、飲酒運転に対する再々の指導で自制心が引き出されるし、かんに障ることも無くなる。
【考案を実施するための最良の形態】
【０００７】  そこで、本考案は筺体に案内電光表示板と呼気中アルコール濃度検出センサーとアルコール濃度電光表示板、焦電センサー又は赤外線センサーを二個使用する移動方向検出装置、音声ＲＯＭを使用する音声発生装置及びこれらの装置を処理する中央処理装置を設置したことを特徴とする自動警告装置とした。又、この自動警告装置に又、この自動警告装置を既存電飾立て看板の上面に取付板を介して固定することとした。又、前記自動警告装置を玄関ドア付近の壁面に設置するブラケット又はヒンジ付きブラケットを介して固定することとした。又、そのブラケットを伸縮二重管とした。
尚、この自動警告装置に取付穴や支持具を介在させて建物の壁面に直付けにしたり、ぶら下げて使用できるようにすることは当然である。【０００８】  又、玄関ドア付近の壁面に設置するヒンジ付きブラケット又はヒンジ付き伸縮ブラケットの一端を自動警告装置の側面の中央ではなく端に寄せて取り付け、ブラケットの他端を玄関ドア付近の壁面に設置することとした。
【実施例】
【０００９】  図１において、筺体１の正面には左下角付近と右下角付近に焦電式赤外線センサー２と焦電式赤外線センサー３を設置する。又、案内電光表示板４、スピーカー５、アルコールセンサー６、アルコール濃度電光表示板７及び取扱説明印刷８を設置する。筺体１の内部にはこれらの電装品を作動させるための中央処理装置、音声ＲＯＭ、電源ユニット、アンプその他処理回路に必要な回路部品を設置する。【００１０】  尚、アルコールセンサー６とアルコール濃度電光表示板７は一体の既製品を組み付けることでも良い。それらが別部品であるか一体部品であるかは本考案の要諦に影響を与える技術的思想の創作ではない。【００１１】  図２は建物の間取りの一実施例を示す平面図である。街路から表玄関のドア１９を入ると建物の中はアプローチとか廊下である。そのアプローチに面して店内に入る玄関ドア１８がある。本考案による自動警告装置の筺体１を壁面２０に直付けした実施例の場合のキープランを図２が表現している。【００１２】  図３において本考案による自動警告装置を他の実施例として開示した。通常立て看板は左右側面の両方に案内が表示されるので、案内電光表示板の数を増やして筺体１の背面にも案内電光表示板９を設置しても良い。この場合コストは高くなるが、案内電光表示板を余計に設置することで別効果が発生する可能性があるので先願としてその態様をここで開示しておく。【００１３】  図４において本考案による自動警告装置を他の実施例として開示する。
図４によれば、筺体１の右側面にヒンジベース１０を固定する。ヒンジベース１０はヒンジ１１を突設する。ヒンジ１１は内管１２の一端を枢着する。内管１２は外管１３の中に収まり伸縮ブラケットを構成する。外管１３の一端には壁面取付ベース１４を設置する。前記伸縮ブラケットの内管１２と外管１３にはピン挿入穴１５を適宜設ける。ピン挿入穴１５が重合してできる穴にピンを挿入し伸縮ブラケットの長さが固定する。
図には表現していないが、常套手段によってヒンジの回動を固定するストッパー部品を設けると良いし、蝶ねじで締め付けるような手段も考えられる。
又、伸縮ブラケットとしても良いし、伸縮構造でないブラケットを選択しても良い。ブラケットステーの構造の選択は本考案の要諦ではなく設計上の選択肢であり容易に類推できる。【００１４】  図５は伸縮ブラケットの長さが最も短くなるようにピン挿入穴１５を重合させた状態を示す。又、伸縮ブラケットをヒンジ１１を使って９０度折り畳んだ状態を示す。この時、壁面取付ベース１４と筺体１の背面とが同一面を形成する。壁面取付ベース１４は玄関ドア付近の壁面に設置されるので、筺体１は壁面にコンパクトに張り付く形となる。この状態では壁面からの筺体１の出が最小限となるので、使用しない時にはこのようにコンパクトに折り畳めば邪魔にならなくて良い。
ヒンジ１１の取付位置を偏心させる技術的思想の創作であり、この工夫により、伸ばした時にはブラケットの長さ分だけ壁面から筺体１を持ち出すことができるが、曲げたときにはブラケットの長さ分を筺体１の側面の長さが吸収し結果的に筺体１は壁面にピタッと張り付いて収まることとなる。
又、この場合、案内電光表示板９は壁面側に隠れることとなるが、実施例であって、両面に表示板を設けることは別の意義が目的であって、又、隠れるとしても、必要な時は飛び出す格好で使用するが、不使用時にはこのように畳んで納めれば出っ張りが解消し安全になるという意義が達成される。考案や発明には一長一短があり、このような実施態様に基づいて権利や製造実施を限定するものではなく、請求の範囲内の製造実施であれば足りる。防衛手段のための実施態様開示であることは言うまでもない。【００１５】  図６は焦電式赤外線センサー３が出店客を感知した時、案内電光表示板４が表示する内容は図のようになる。実施例としては、飲酒運転厳禁等の警告電光表示だけの点滅とするか、又は、ありがとうございました等のお礼や挨拶の内容とこのような警告を交互表示させても良い。又、案内電光表示板９が表示する内容も図のように変化する。実施例では代行運転サービス業者の情報を案内電光表示板９が表示している。設計段階で案内電光表示板９を不要とするのであればそれは設けなくても良い。【００１６】  図７に示すようにアルコールセンサー６はウォークスルーで息を吹きかけ易い高さにセットされているので、出店客はここに息を吹きかけると図２に示すようにアルコール濃度電光表示板が数値を０．２５ｍｇというように表示する。又、息を吹きかける位置は図２に示す取扱説明印刷８がガイドする。尚、１８は玄関ドアである。【００１７】  スピーカー５から音声アナウンスを発して電光表示を補完するように構成する。音声のアナウンスは、データ書き換え自由な音声ＲＯＭ、スピーカー、アンプその他必要な電子部品から構成する音声発生装置を中央処理装置が司って行う。【００１８】  図８において、既存する電飾立て看板１６の上面に取付板１７を介して筺体１固定する。こうすることで、電飾立て看板１６と共に店内にしまうことができるし、既述したウォークスルーの作用も発揮できる。
【産業上の利用可能性】
【００１９】  本考案による技術的思想の創作を構成する物品は産業上の利用可能性が自明であり、本物品の開示により産業の発展に寄与する。
【図面の簡単な説明】
【００２０】
【図１】  自動警告装置の斜視図である。
【図２】  建物の間取りの一実施例を示す平面図である。
【図３】  自動警告装置の斜視図である。
【図４】  自動警告装置の実施態様を示す斜視図である。
【図５】  自動警告装置の実施態様を示す斜視図である。
【図６】  自動警告装置の実施態様を示す斜視図である。
【図７】  自動警告装置の設置状態の態様を示す斜視図である。
【図８】  自動警告装置の設置状態の態様を示す斜視図である。
【符号の説明】
【００２１】  １  筺体
２  焦電式赤外線センサー
３  焦電式赤外線センサー
４  案内電光表示板
５  スピーカー
６  アルコールセンサー
７  アルコール濃度電光表示板
８  取扱説明印刷
９  案内電光表示板
１０  ヒンジベース
１１  ヒンジ
１２  内管
１３  外管
１４  壁面取付ベース
１５  ピン挿入穴
１６  電飾立て看板
１７  取付板
１８  玄関ドア
１９  ドア
２０  壁面
【図１】
0003129750.tif 000003
【図２】
0003129750.tif 000004
【図３】
0003129750.tif 000005
【図４】
0003129750.tif 000006
【図５】
0003129750.tif 000007
【図６】
0003129750.tif 000008
【図７】
0003129750.tif 000009
【図８】
0003129750.tif 000010